(57)【要約】【課題】本発明が解決しようとする課題は、ラベルの再発行によって発行されたラベルの表示枚数を変えないことが可能なラベルプリンタおよびプログラムを提供することである。【解決手段】実施形態のラベルプリンタは、印字情報をラベルに印字して発行するラベル発行部と、前記ラベル発行部が発行したラベルの数、および印字情報を印字したラベルを特定するラベル特定情報に対応して記憶する印字情報記憶部と、印字済のラベルの選択を判断するラベル選択判断部と、選択が判断された前記ラベルについて、前記印字情報記憶部に記憶したラベル特定情報に対応して記憶された当該ラベルの印字情報の一部を変更する印字情報変更部と、前記印字情報の一部を修正したラベルを再発行するラベル再発行部と、を備え、前記印字情報記憶部は、当該再発行したラベルの数を新たに記憶するとともに、ラベル再発行部が再発行したラベルの数を、前記再発行する前の当該ラベルの発行数から減算する。【選択図】図５
2020157595.tif 000002
【特許請求の範囲】
【請求項１】
印字情報をラベルに印字して発行するラベル発行部と、
前記ラベル発行部が発行したラベルの数、および印字情報を印字したラベルを特定するラベル特定情報に対応して記憶する印字情報記憶部と、
印字済のラベルの選択を判断するラベル選択判断部と、
選択が判断された前記ラベルについて、前記印字情報記憶部に記憶したラベル特定情報に対応して記憶された当該ラベルの印字情報の一部を変更する印字情報変更部と、
前記印字情報の一部を修正したラベルを再発行するラベル再発行部と、
を備え、
前記印字情報記憶部は、当該再発行したラベルの数を新たに記憶するとともに、ラベル再発行部が再発行したラベルの数を、前記再発行する前の当該ラベルの発行数から減算する、
ことを特徴とするラベルプリンタ。
【請求項２】
前記印字情報記憶部は、前記記憶した印字情報を前記変更された印字情報に上書きして記憶する、
請求項１に記載のラベルプリンタ。
【請求項３】
前記印字情報変更部は、前記印字情報をラベルに印字するフォーマットを特定するフォーマットデータをさらに変更する、
請求項１または２に記載のラベルプリンタ。
【請求項４】
コンピュータを、
印字情報をラベルに印字して発行するラベル発行部と、
前記ラベル発行部が発行したラベルの数、および印字情報を印字したラベルを特定するラベル特定情報に対応して記憶する印字情報記憶部と、
印字済のラベルの選択を判断するラベル選択判断部と、
選択が判断された前記ラベルについて、前記印字情報記憶部に記憶したラベル特定情報に対応して記憶された当該ラベルの印字情報の一部を変更する印字情報変更部と、
前記印字情報の一部を修正したラベルを再発行するラベル再発行部と、
して機能させ、
前記印字情報記憶部は、当該再発行したラベルの数を新たに記憶するとともに、ラベル再発行部が再発行したラベルの数を、前記再発行する前の当該ラベルの発行数から減算する、
プログラム。
【発明の詳細な説明】
【技術分野】
【０００１】
本発明の実施形態は、ラベルプリンタおよびプログラムに関する。
【背景技術】
【０００２】
店舗において、店内に陳列する商品に貼付するラベルや、バックヤードで料理する食材や惣菜が入った袋に貼付するラベル等を印字して発行するラベルプリンタが存在する。これらのラベルプリンタは、選択した商品や食材の印字情報をフォーマットデータに従って印字したラベルを所定枚数発行する。
【０００３】
ところで、商品や食材が入った袋等に貼付したラベルは、汚れや経年劣化等の影響で、印字された文字等が見えにくくなることがある。このような場合、従来のラベルプリンタは、記憶されている既に発行したラベルのデータを選択して同じラベルを再発行していた。
【発明の概要】
【発明が解決しようとする課題】
【０００４】
本発明が解決しようとする課題は、ラベルの再発行によって発行されたラベルの表示枚数を変えないことが可能なラベルプリンタおよびプログラムを提供することである。
【課題を解決するための手段】
【０００５】
実施形態のラベルプリンタは、印字情報をラベルに印字して発行するラベル発行部と、前記ラベル発行部が発行したラベルの数、および印字情報を印字したラベルを特定するラベル特定情報に対応して記憶する印字情報記憶部と、印字済のラベルの選択を判断するラベル選択判断部と、選択が判断された前記ラベルについて、前記印字情報記憶部に記憶したラベル特定情報に対応して記憶された当該ラベルの印字情報の一部を変更する印字情報変更部と、前記印字情報の一部を修正したラベルを再発行するラベル再発行部と、を備え、前記印字情報記憶部は、当該再発行したラベルの数を新たに記憶するとともに、ラベル再発行部が再発行したラベルの数を、前記再発行する前の当該ラベルの発行数から減算する。
【図面の簡単な説明】
【０００６】
【図１】図１は、実施形態のラベルプリンタの外観を示す斜視図である。
【図２】図２は、ラベルプリンタのハードウェア構成を示すブロック図である。
【図３】図３は、実績ファイルのメモリ構成を示す図である。
【図４】図４は、ラベルプリンタの機能構成を示す機能ブロック図である。
【図５】図５は、ラベルプリンタの制御処理の流れを示すフローチャートである。
【図６】図６は、ラベルプリンタの表示の一例を示す図である。
【図７】図７は、ラベルプリンタの表示の他の一例を示す図である。
【図８】図８は、ラベルプリンタの表示のさらに他の一例を示す図である。
【図９】図９は、ラベルプリンタが発行したラベルの一例を示す図である。
【図１０】図１０は、ラベルプリンタの表示の別の一例を示す図である。
【図１１】図１１は、ラベルプリンタの表示のさらに別の一例を示す図である。
【図１２】図１２は、ラベルプリンタが発行したラベルの他の一例を示す図である。
【図１３】図１３は、ラベルプリンタが発行したラベルのさらに他の一例を示す図である。
【発明を実施するための形態】
【０００７】
以下、図面を参照して一実施形態について説明する。なお、実施形態によって本発明が限定されるものではない。
【０００８】
図１は、ラベルプリンタ１の概観を示す斜視図である。図１において、ラベルプリンタ１は、本体１Ａと蓋体１Ｂを備える。本体１Ａは、印字部１９と搬送部２０（図２を参照）を備えている。搬送部２０は、本体１Ａに収納されたラベルが一定間隔で配置されたロール状のラベル用紙の最外周部を引き出して、印字部１９に向けて搬送する。印字部１９は、搬送されたラベル用紙に貼付されたラベル対し、所定のフォーマットで印字情報を印字する。また印字部１９は、印字したラベルの先端部を、ラベルプリンタ１の外部まで搬送してラベルを発行する。
【０００９】
蓋体１Ｂは、上面に表示部１７を備える。表示部１７は、ラベルプリンタ１の状態、ラベル印字の状態等、各種情報やエラーメッセージ等を表示する。また蓋体１Ｂは、表示部１７上にタッチパネルで構成された操作部１８を備える。操作部１８は、ラベルプリンタ１を動作させるために種々の操作を行う。
【００１０】
本体１Ａは、蓋体１Ｂを、本体１Ａに対して上方に開閉可能に軸支している。操作者は、蓋体１Ｂを本体１Ａから開放して、未印字のラベル用紙を本体１Ａ内に収納する。その後、操作者は、蓋体１Ｂを本体１Ａに閉止する。このようにして操作者は、ラベルプリンタ１内にラベル用紙をセットする。
【００１１】
次に、実施形態に係るラベルプリンタ１のハードウェア構成について説明する。図２は、ラベルプリンタ１のハードウェア構成を示すブロック図である。図２に示すように、ラベルプリンタ１は、ＣＰＵ（Central  Processing  Unit）１１、ＲＯＭ（Read  Only  Memory）１２、ＲＡＭ（Random  Access  Memory）１３、メモリ部１４等を備えている。ＣＰＵ１１は制御主体となる。ＲＯＭ１２は各種プログラムを記憶する。ＲＡＭ１３はプログラムや各種データを展開する。メモリ部１４は各種プログラムを記憶する。ＣＰＵ１１、ＲＯＭ１２、ＲＡＭ１３、メモリ部１４は、互いにバス１５を介して接続されている。ＣＰＵ１１とＲＯＭ１２とＲＡＭ１３が、制御部１００を構成する。すなわち、制御部１００は、ＣＰＵ１１がＲＯＭ１２やメモリ部１４に記憶されＲＡＭ１３に展開された制御プログラムに従って動作することによって、後述するラベルプリンタ１に係る制御処理を実行する。
【００１２】
メモリ部１４は、電源を切っても記憶情報が保持されるＨＤＤ（Hard  Disc  Drive）やフラッシュメモリ等の不揮発性メモリで構成される。メモリ部１４は、制御プログラム部１４１、実績ファイル１４２等を有する。制御プログラム部１４１は、ラベルプリンタ１を制御するための制御プログラムを記憶する。実績ファイル１４２は図３で後述する。
【００１３】
また、制御部１００は、バス１５およびコントローラ１６を介して、表示部１７、操作部１８、印字部１９、搬送部２０と接続している。表示部１７は、操作者に情報を表示する。タッチパネルの操作部１８は、上記表示部１７に表示されたキーの表示に対向させた位置に、印字キー１８１、期限確認キー１８２、再印字キー１８３、期限変更キー１８４、フォーマット変更キー１８５を有する。印字キー１８１は、ラベルに印字情報を印字する際に操作する。期限確認キー１８２は、すでに発行したラベルについて再発行を開始する際に操作する。再印字キー１８３は、ラベルを再発行する際に操作する。期限変更キー１８４は、印字情報に含まれる期限情報（例えば、賞味期限を示す賞味期限情報や、消費期限を示す消費期限情報や、使用期限を示す使用期限情報等）を変更する際に操作する。フォーマット変更キー１８５は、ラベルに印字情報を印字するフォーマットを特定するフォーマットデータを変更する際に操作する。
【００１４】
印字部１９は、例えばライン状のサーマルヘッドを有し、ラベルに印字を行う。搬送部２０は、例えば搬送ベルトや搬送モータを有し、ラベル用紙に貼付されたラベルを印字部１９まで搬送する。また、搬送部２０は、印字されたラベルを発行位置まで搬送する。
【００１５】
また、制御部１００は、バス１５を介して、通信部２１と接続している。通信部２１は、例えばＬＡＮ（Local  Area  Network）等の通信回線Ｌを介して、情報処理装置から、商品名を含む印字情報、フォーマットデータ等を受信する。受信した印字情報、フォーマットデータ等は、品番を付してＲＡＭ１３またはメモリ部１４に記憶される。フォーマットデータは、ラベルに印字する複数のフォーマットから一つのフォーマットを特定する情報であり、例えば、「スーパー惣菜」（図１０を参照）等の情報である。ラベルプリンタ１は、ラベルに印字する複数種類のフォーマットをメモリ部１４に記憶しており、情報処理装置から、一つのフォーマットを特定するフォーマットデータを受信すると、当該フォーマットデータに対応するフォーマットをメモリ部１４から読み出す。
【００１６】
次に、実績ファイル１４２について説明する。図３は、実績ファイルのメモリ構成を示す図である。図３に示すように、実績ファイル１４２は、ラベルプリンタ１がラベルに印字する印字情報とフォーマットデータを記憶する。また、実績ファイル１４２は、ラベルプリンタ１がすでにラベルに印字した印字情報とフォーマットデータを記憶する。実績ファイル１４２は、品番部１４２１、商品名部１４２２、発行枚数部１４２３、ラベルデータ部１４２４を有する。品番部１４２１は、発行するラベルを管理する品番（ラベル特定情報）を記憶する。商品名部１４２２は、品番部１４２１に記憶されている品番に対応付けて、当該ラベルに印字される商品名を記憶する。
【００１７】
発行枚数部１４２３は、品番部１４２１に記憶されている品番に対応付けて、発行される（された）ラベルの枚数を記憶する。ラベルデータ部１４２４は、品番部１４２１に記憶されている品番に対応付けて、ラベルに印字する（した）印字情報とフォーマットデータを記憶する。
【００１８】
ここからは、ラベルプリンタ１の機能構成について説明する。図４は、ラベルプリンタの機能構成を示す機能ブロック図である。図４に示すように、ラベルプリンタ１は、制御部１００が制御プログラム部１４１に記憶され、ＲＡＭ１３に展開された制御プログラムに従うことで、ラベル発行部１０１、印字情報記憶部１０２、ラベル選択判断部１０３、ラベル再発行部１０４、印字情報変更部１０５として機能する。
【００１９】
ラベル発行部１０１は、印字情報をラベルに印字して発行する機能を有する。ラベル発行部１０１は、印字部１９を駆動して、情報処理装置から受信して実績ファイル１４２に記憶した印字情報を、同じく受信して実績ファイルに記憶したフォーマットデータに基づくフォームでラベルに印字して発行する。ラベル発行部１０１は、印字キー１８１が操作されると、入力された発行枚数のラベルに印字情報を印字し、ラベルを発行する。ラベル発行部１０１は、期限情報を含む印字情報をラベルに印字する。
【００２０】
印字情報記憶部１０２は、ラベル発行部１０１がラベルに印字した印字情報およびフォーマットデータを、印字したラベルに対応して実績ファイル１４２に記憶する機能を有する。印字情報記憶部１０２は、ラベル発行部１０１が例えば３枚のラベルを印字した場合、３枚分の印字情報を実績ファイル１４２に記憶する。印字情報記憶部１０２は、情報処理装置から受信した印字情報、フォーマットデータを、同一の品番を付して実績ファイル１４２に記憶する。印字情報記憶部１０２は、品番に対応付けて、期限情報を含む印字情報を実績ファイルに１４２記憶する。
【００２１】
ラベル選択判断部１０３は、印字済のラベルの選択を判断する機能を有する。期限確認キー１８２が操作されると、実績ファイル１４２に記憶している期限情報に基づいて、指定された期間に期限となるラベルのラベル情報を抽出して表示部１７に表示される。ラベル選択判断部１０３は、表示されたラベル情報から操作者が選択したラベル情報のラベルを判断する。
【００２２】
ラベル再発行部１０４は、ラベル選択判断部１０３によって選択が判断されたラベルに対し、印字情報記憶部１０２に記憶した当該ラベルの印字情報に基づいて印字したラベルを再発行する。
【００２３】
印字情報変更部１０５は、印字情報記憶部１０２が記憶した当該ラベルの印字情報の一部を変更する。印字情報変更部１０５は、印字情報記憶部１０２が記憶した当該ラベルの印字情報の一部である期限情報を変更する。印字情報変更部１０５は、印字情報記憶部１０２が記憶した当該ラベルのフォーマットデータを変更する。
【００２４】
ラベル再発行部１０４は、印字情報変更部１０５によって変更された印字情報を印字したラベルを再発行する。ラベル再発行部１０４は、印字情報変更部１０５によって変更されたフォーマットデータに基づいて、印字情報を印字したラベルを再発行する。
【００２５】
印字情報記憶部１０２は、記憶している印字情報を変更された印字情報に変更して記憶する。印字情報記憶部１０２は、ラベル再発行部１０４が印字情報変更部１０５によって変更された印字情報を印字したラベルを再発行した場合、記憶しているラベルの発行枚数からラベル再発行部１０４が再発行したラベルの数分減算するとともに、当該再発行したラベルの数を別の品番を付して記憶する。
【００２６】
ここからは、ラベルプリンタ１の制御について説明する。実施形態では、情報処理装置から受信した印字情報とフォーマットデータは、品番に対応づけて実績ファイル１４２に記憶されている。図５は、ラベルプリンタの制御処理の流れを示すフローチャートである。図５に示すように。ラベルプリンタ１の制御部１００は、印字キー１８１が操作されたかを判断する（Ｓ１１）。印字キー１８１が操作されたと判断した場合には（Ｓ１１のＹｅｓ）、品番と枚数が操作部１８から入力されているかを判断する（Ｓ１２）。品番と枚数が入力されていると判断した場合には（Ｓ１２のＹｅｓ）、ラベル発行部１０１は、当該品番に対応付けられてラベルデータ部１４２４に記憶されている印字情報を同じく記憶されているフォーマットデータに基づいてラベルに印字して、入力された枚数データ分の枚数のラベルを発行する（Ｓ１３）。そして印字情報記憶部１０２は、品番に対応付けて、ラベルに印字した印字情報、発行枚数、印字情報に含まれる商品名等を実績ファイル１４２に記憶する（Ｓ１４）。そして制御部１００は、処理を終了する。なお、品番と枚数が入力されていないと判断した場合には（Ｓ１２のＮｏ）、制御部１００は処理を終了する。
【００２７】
また、印字キー１８１の操作ではないと判断した場合には（Ｓ１１のＮｏ）、制御部１００は、期限確認キー１８２が操作されたかを判断する（Ｓ２１）。図６に、期限確認キー１８２を操作する画面の一例を示す。表示された画面Ｇ１において、発行タグＧ１１を操作すると、期限確認キー１８２を含む複数の操作キーが表示される。ラベルを再発行する場合、操作者は、期限確認キー１８２を操作する。期限確認キー１８２を操作すると、制御部１００は、期限確認キー１８２が操作されたと判断する。
【００２８】
期限確認キー１８２が操作されたと判断した場合には（Ｓ２１のＹｅｓ）、制御部１００は、実績ファイル１４２に記憶されているラベルのデータを読み出して、印字情報に含まれる期限情報順にラベルの情報をソートする（Ｓ２２）。そして制御部１００は、ソートしたラベルのラベル情報（商品名部１４２２に記憶されている商品名、発行枚数部１４２３に記憶されている発行枚数、期限情報）を表示する（Ｓ２３）。
【００２９】
図７は、期限情報順にソートしたラベル情報を表示部１７に表示した一例である。図７に示すように、画面Ｇ２は、１日タグＧ２１と９９日タグＧ２２を表示する。１日タグＧ２１を操作すると、直近の一日に期限となるラベル情報を表示する。９９日タグＧ２２を操作すると、実績ファイル１４２に記憶されているすべてのラベルについて、ラベルの情報を表示する。図７の例では、９９日タグＧ２２を操作した例を表示している。図７に示すように、ラベルの情報として、商品Ａの欄には、商品Ａの商品名Ｇ２Ａ１（商品Ａ）、発行枚数Ｇ２Ａ２（３枚）、期限情報Ｇ２Ａ３（２月１４日１６時１３分）が表示される。商品Ｂの欄には、商品Ｂの商品名Ｇ２Ｂ１（商品Ｂ）、発行枚数Ｇ２Ｂ２（３枚）、期限情報Ｇ２Ｂ３（２月１５日１６時１３分）が表示される。商品Ｃの欄には、商品Ｃの商品名Ｇ２Ｃ１（商品Ｃ）、発行枚数Ｇ２Ｃ２（３枚）、期限情報Ｇ２Ｃ３（２月１６日１６時１４分）が表示される。
【００３０】
操作者は、表示された複数の欄のうち、再発行したいラベル情報の欄をタッチする。図８は、例えば図７の画面Ｇ２において、商品Ｂのラベル情報の欄がタッチされた場合の一例を示す。商品Ｂのラベル情報の欄がタッチされた場合、実施形態では、商品Ｂに係るラベルは３枚発行されているため、図８に示すように、商品Ｂに係る３枚のそれぞれのラベルの情報が表示される。図８において、１枚目のラベルの情報Ｇ３１、２枚目のラベルの情報Ｇ３２、３枚目のラベルの情報Ｇ３３が表示される。なお、１枚目のラベルの情報Ｇ３１と２枚目のラベルの情報Ｇ３２と３枚目のラベルの情報Ｇ３３は、同じ品番で管理されているため、すべて同じ情報である。操作者が、表示された３枚のラベルについて、再発行したいラベルの欄をタッチすると、ラベル選択判断部１０３は、タッチされたラベルが選択されたと判断する。
【００３１】
操作者は、一つのラベルを選択して、同一のラベルの再発行を行うか、期限を変更したラベルを再発行するか、フォーマットを変更したラベルを再発行するかを選択する。同一のラベルの再発行を行う場合には、操作者は再印字キー１８３を操作する。期限を変更したラベルを再発行する場合は、操作者は期限変更キー１８４を操作する。フォーマットを変更したラベルを再発行する場合は、フォーマット変更キー１８５を操作する。
【００３２】
ラベル選択判断部１０３は、一つのラベルが選択されたかを判断する（Ｓ２４）。一つのラベルが指定されるまで待機し（Ｓ２４のＮｏ）、ラベル選択判断部１０３が一つのラベルが選択されたかと判断した場合には（Ｓ２４のＹｅｓ）、次に制御部１００は、選択されたラベルに印字された印字情報とフォーマットデータを、ラベルデータ部１４２４から読み出す（Ｓ２５）。
【００３３】
次に制御部１００は、期限変更キー１８４が操作されたかを判断する（Ｓ３１）。期限変更キー１８４の操作ではないと判断した場合には（Ｓ３１のＮｏ）、次に制御部１００は、フォーマット変更キー１８５が操作されたかを判断する（Ｓ４１）。フォーマット変更キー１８５の操作ではないと判断した場合には（Ｓ４１のＮｏ）、次に制御部１００は、再印字キー１８３が操作されたかを判断する（Ｓ５１）。
【００３４】
Ｓ５１において、再印字キー１８３が操作されたと判断した場合には（Ｓ５１のＹｅｓ）、ラベル再発行部１０４は、Ｓ２５で読み出した印字情報とフォーマットデータを使用して（基づいて）、印字部１９を駆動してラベルを印字して再発行する（Ｓ５２）。この際、再発行したラベルのカウントはしない。そのため、ラベルを再発行しても、ラベルの発行枚数に増減はない。
【００３５】
図９は、Ｓ５２で再発行されたラベルの一例である。再発行されたラベルＲ１には、商品名Ｒ１１、期限情報Ｒ１２等が印字される。Ｓ５２で再発行されたラベルは、元のラベルと同一情報が印字される。
【００３６】
そして制御部１００は、処理を終了する。なお、Ｓ５１において、再印字キー１８３の操作ではないと判断した場合には（Ｓ５１のＮｏ）、制御部１００は、処理を終了する。
【００３７】
また、Ｓ３１において、期限変更キー１８４が操作されたと判断した場合には（Ｓ３１のＹｅｓ）、制御部１００は、Ｓ２４で選択されたと判断したラベルについて、印字情報が表示された変更画面を表示する（Ｓ３２）。
【００３８】
図１０は、Ｓ３２で表示された変更画面Ｇ４の一例である。図１０に示すように、変更画面Ｇ４は、期限情報Ｇ４１とフォーマットデータＧ４２を含む情報を表示する。実施形態では、期限情報Ｇ４１に「１１．２．１５」が表示され、フォーマットデータＧ４２に「スーパー惣菜」のフォーマットが表示されている。期限情報を変更する場合は、期限情報Ｇ４１を書き換えて変更する。フォーマットデータを変更する場合は、フォーマットデータＧ４２を書き換えるか、プルダウン方式で選択する。操作者は、変更画面Ｇ４を見て、期限情報を例えば「１１．２．１５」（平成１１年２月１５日）から「１１．２．１３」（平成１１年２月１３日）に変更する。例えば、本ラベルが貼付された商品が、他の同じ商品と比べて劣化が進んでいる場合は、本ラベルの商品について、期限情報を当初より短くしたラベルを再発行して貼付する。
【００３９】
制御部１００は、再印字キー１８３が操作されたかを判断する（Ｓ３３）。再印字キー１８３が操作されるまで待機し（Ｓ３３のＮｏ）、再印字キー１８３が操作されたと判断した場合には（Ｓ３３のＹｅｓ）、印字情報変更部１０５は、Ｓ３２の画面で修正された情報を含む印字情報をラベルデータ部１４２４に上書きして記憶する（Ｓ３４）。その際、Ｓ２５で読み出したラベルのうち、期限情報を変更したラベルを元のラベルの品番とは異なる新たな品番を付して実績ファイル１４２に記憶する。そして、元のラベルから、新たな品番を付したラベルの枚数を削減する。すなわち、実績ファイル１４２に記憶した枚数のラベルの数を、元のラベルの枚数から減算する。実施形態の場合、商品Ｂの１枚のラベルについて期限を変更した。そのため、変更した１枚のラベルについて新たな品番を付して実績ファイル１４２に記憶する。そして、元の商品Ｂの枚数を「１」だけ減算する。そのため、ラベルを再発行しても記憶しているラベルの枚数に増減はない。
【００４０】
次に制御部１００は、Ｓ３４で上書きした印字情報に基づいて、図７に表示されたラベル情報を更新したラベル情報を再表示する（Ｓ３５）。図１１に、Ｓ３５で更新されたラベル情報の更新画面を示す。図１１に示すように、更新画面Ｇ５は、商品Ａと商品Ｃのラベル情報については、図７と同一の情報を表示する。一方、商品Ｂのラベル情報は、１枚のラベルについて期限情報を変更したため、当該ラベル情報を新たな商品Ｂのラベル情報として、新たな商品Ｂの欄に、商品Ｂの商品名Ｇ５Ｄ１（商品Ｂ）、発行枚数Ｇ５Ｄ２（１枚）、期限情報Ｇ５Ｄ３（２月１３日１６時１３分）が表示される。一方、元の商品Ｂの欄において、商品Ｂの商品名Ｇ２Ｂ１（商品Ｂ）と期限情報Ｇ２Ｂ３（２月１５日１６時１３分）は、同じ情報が表示されるが、元の商品Ｂのラベルの発行枚数は、発行枚数Ｇ２Ｂ２（２枚）と、図７の表示に比べて発行枚数が１枚減って表示されている。
【００４１】
次にラベル再発行部１０４は、Ｓ２５で読み出した印字情報とフォーマットデータに基づいて、当該印字情報から期限情報が変更されたラベルを印字して再発行する（Ｓ３６）。そして制御部１００は、処理を終了する。図１２は、Ｓ３６において再発行されたラベルの例である。図１２に示すように、再発行されたラベルＲ２は、ラベルを貼付する商品の商品名Ｒ２１と、期限情報Ｒ２２を含む情報が印字されている。ここで、期限情報Ｒ２２には、Ｓ３４で変更記憶した期限情報「１１年２月１３日」が印字される。
【００４２】
また、Ｓ４１の処理において、フォーマット変更キー１８５が操作されたと判断した場合には（Ｓ４１のＹｅｓ）、制御部１００は、Ｓ２４で選択されたと判断したラベルについて、印字情報が表示された図１０に示す変更画面を表示する（Ｓ４２）。
【００４３】
図１０において、フォーマットデータを変更するにはフォーマットデータＧ４２に表示されたフォーマットデータを修正する。実施形態では、「スーパー惣菜」のフォーマットが選択されているが、この「スーパー惣菜」を他のフォーマットデータに変更する。
【００４４】
次に制御部１００は、再印字キー１８３が操作されたかを判断する（Ｓ４３）。再印字キー１８３が操作されるまで待機し（Ｓ４３のＮｏ）、再印字キー１８３が操作されたと判断した場合には（Ｓ４３のＹｅｓ）、印字情報変更部１０５は、Ｓ３２の画面で修正された情報を含む印字情報をラベルデータ部１４２４に上書きして記憶する（Ｓ４４）。その際、Ｓ２２で読み出したラベルのうち、フォーマットデータを変更したラベルを元のラベルの品番とは異なる新たな品番を付して実績ファイル１４２に記憶する。そして、元のラベルから、新たな品番を付したラベルの枚数を削減する。すなわち、実績ファイル１４２に記憶した枚数のラベルの数を、元のラベルの枚数から減算する。実施形態の場合、商品Ｂの１枚のラベルについてフォーマットを変更した。そのため、変更した１枚のラベルについて新たな品番を付して実績ファイル１４２に記憶する。そして、元の商品Ｂの枚数を「１」だけ減算する。そのため、ラベルを再発行しても記憶しているラベルの枚数に増減はない。
【００４５】
次に制御部１００は、Ｓ４４で上書きした印字情報に基づいて、図７に表示されたラベル情報を更新したラベル情報を再表示する（Ｓ４５）。次にラベル再発行部１０４は、変更されたフォーマットデータに基づいて、印字情報が印字されたラベルを印字して再発行する（Ｓ４６）。そして制御部１００は、処理を終了する。図１３は、Ｓ４６において再発行されたラベルの例である。図１３に示すように、再発行されたラベルＲ３は、ラベルを貼付する商品の商品名Ｒ３１と、フォーマットを変更したために印字される情報Ｒ３２を含む情報が印字されている。ここで、情報Ｒ３２には、「この商品を先に使用してください」の文字が印字される。そして制御部１００は、処理を終了する。
【００４６】
なお、Ｓ２１において、期限確認キー１８２の操作ではないと判断した場合には（Ｓ２１のＮｏ）、制御部１００は処理を終了する。
【００４７】
以上説明したように、実施形態のラベルプリンタ１によれば、発行したラベルの印字情報とフォーマット情報を記憶し、記憶した印字情報とフォーマット情報に基づいて、同じラベルを再発行することができる。そのため、ラベルを再発行する際に、情報処理装置から再度印字情報やフォーマットデータを受信することなくラベルを再発行することができる。
【００４８】
また、実施形態によれば、再発行するラベルの印字情報やフォーマットデータを変更することができる。
【００４９】
また、実施形態によれば、再発行したラベルの枚数をカウントしないため、ラベルの発行枚数に増減がない。
【００５０】
以上、本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態は、発明の範囲や要旨に含まれるとともに、特許請求の範囲に記載された発明とその均等の範囲に含まれる。
【００５１】
例えば、実施形態では、変更情報として、期限情報とフォーマットデータを例に説明した。しかしながらこれに限らず、ラベルの印字に用いる他の情報を変更情報としてもよい。
【００５２】
また、実施形態では、ラベルプリンタ１と情報処理装置を別々の装置として記載した。しかしながらこれに限らず、ラベルプリンタ１の機能と情報処理装置の機能を一体化した一つの装置としてもよい。この場合、再印字したラベルの実績データを、実績ファイルに出力する。このとき、期限確認画面にて実績データを一覧表示したとき、サイン時前の実績データと再印字した実績データが２重に表示されないよう、再印字した実績データのみ表示できるように、実績データの書込みを行う。再印字を複数回実行した場合、最後に再印字した実績データのみを表示する。
【００５３】
実施形態のラベルプリンタ１で実行されるプログラムは、インストール可能な形式または実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録されて提供される。
【００５４】
また、実施形態のラベルプリンタ１で実行されるプログラムを、インターネット等のネットワークに接続されたコンピュータ上に格納し、ネットワーク経由でダウンロードさせることにより提供するように構成してもよい。また、実施形態のラベルプリンタ１で実行されるプログラムをインターネット等のネットワーク経由で提供または配布するように構成してもよい。
【００５５】
また、実施形態のラベルプリンタ１で実行されるプログラムを、ＲＯＭ等に予め組み込んで提供するように構成してもよい。
【符号の説明】
【００５６】
１        ラベルプリンタ
１１      ＣＰＵ
１２      ＲＯＭ
１３      ＲＡＭ
１４      メモリ部
１００    制御部
１０１    ラベル発行部
１０２    印字情報記憶部
１０３    ラベル選択判断部
１０４    ラベル再発行部
１０５    印字情報変更部
１４２    実績ファイル
１４２１  品番部
１４２２  商品名部
１４２３  発行枚数部
１４２４  ラベルデータ部
【先行技術文献】
【特許文献】
【００５７】
【特許文献１】特開２０１４−１２１８４２号公報
【図１】
2020157595.tif 000003
【図２】
2020157595.tif 000004
【図３】
2020157595.tif 000005
【図４】
2020157595.tif 000006
【図５】
2020157595.tif 000007
【図６】
2020157595.tif 000008
【図７】
2020157595.tif 000009
【図８】
2020157595.tif 000010
【図９】
2020157595.tif 000011
【図１０】
2020157595.tif 000012
【図１１】
2020157595.tif 000013
【図１２】
2020157595.tif 000014
【図１３】
2020157595.tif 000015